(57)【要約】【課題】人体に及ぼす色彩の作用を利用して、頭頚部などの表皮にあるツボに対して、発光ダイオードによる複数の色の光を選択的に顔の表皮に照射することによって、トリートメントを行うことができる美顔用光マスクを提供すること目的とする。【解決手段】美顔用光マスク１０において、各光源部Ｐ１、Ｐ２…の光源Ｐ１ａ、Ｐ１ｂ、Ｐ１ｃ、Ｐ１ｄ、Ｐ２ａ、Ｐ２ｂ、Ｐ２ｃ、Ｐ２ｄ…から出射された可視光は、透明または半透明の美顔用光マスク本体１１を通過し、頭頚部の表皮に照射される。頭頚部の表皮に照射される可視光は、所定の色彩パターンを有しており、種々のパターンを備えることによって、異なるトリートメントの効果を得ることができる。【選択図】      図１
2005027702.tif 000002
【特許請求の範囲】
【請求項１】
顔面に装着されるマスク本体と、
前記マスク本体の外面に所定のパターンで配設され、前記マスク本体を介して前記顔面に向けて異なる色相の光を出射する複数の光源部と、
前記各光源部に電力を供給する電源と、
前記電源から供給される電力を前記各光源部毎または前記複数の光源部からなるグループ毎に制御する光源制御部と
を具備することを特徴とする美顔用光マスク。
【請求項２】
前記マスク本体が、透明または半透明であることを特徴とする請求項１記載の美顔用光マスク。
【請求項３】
前記マスク本体の前記光源部が配設された部分が、透明または半透明であることを特徴とする請求項１記載の美顔用光マスク。
【請求項４】
顔面に装着され、所定の位置に複数の開口部が設けられたマスク本体と、
前記各開口部に嵌設され、前記顔面に向けて異なる色相の光を出射する複数の光源部と、
前記各光源部に電力を供給する電源と、
前記電源から供給される電力を前記各光源部毎または前記複数の光源部からなるグループ毎に制御する光源制御部と
を具備することを特徴とする美顔用光マスク。
【請求項５】
前記マスク本体が、接触部材を介して顔面に装着されることを特徴とする請求項１乃至４いずれか１項記載の美顔用光マスク。
【請求項６】
前記美顔用光マスクが、前記マスク本体に一端が接続され、他端に面ファスナを備える固定用ベルトをさらに具備することを特徴とする請求項１乃至５いずれか１項記載の美顔用光マスク。
【請求項７】
前記光源部が、赤色、橙色、黄色、緑色、青色、紫色および白色の少なくとも一色を出射する光源を具備することを特徴とする請求項１乃至６のいずれか１項記載の美顔用光マスク。
【請求項８】
前記美顔用光マスクの前記複数の光源部から顔面に出射される可視光が、所定の色彩パターンを有して出射されることを特徴とする請求項１乃至７のいずれか１項記載の美顔用光マスク。
【請求項９】
前記マスク本体の内面の所定の位置に、顔面の表皮のツボを押圧する突起部をさらに具備することを特徴とする請求項１乃至８のいずれか１項記載の美顔用光マスク。
【請求項１０】
前記マスク本体の内面の所定の位置に、前記頭頚部の表皮に振動を与える振動発生器をさらに具備することを特徴とする請求項１乃至９のいずれか１項記載の美顔用光マスク。
【請求項１１】
前記マスク本体が、頭頚部に装着されるよう構成されたことを特徴とする請求項１乃至１０のいずれか１項記載の美顔用光マスク。
【発明の詳細な説明】
【０００１】
【発明の属する技術分野】
本発明は、発光ダイオードからの照射光を人体の表皮に照射することで得られるクロモセラピ効果を利用した美顔用光マスクに関するもので、特に、頭頚部などの表皮にあるツボに対して、発光ダイオードランプによる複数の色の光を選択的に照射することによって、トリートメントを行うことができる美顔用光マスクに関する。
【０００２】
【従来の技術】
従来、色彩が人体に心理的作用および生理的作用などを及ぼすことが確認されている。例えば、紫色は、血圧や心拍数を上昇させる循環機能の促進効果や食欲を抑えるなどの効果があり、青色は、身体的活動を抑え精神を沈静させるなどの効果などがある。また、緑色は、鎮静効果などがあり、黄色は、消化器系の働きを高める効果や精神的緊張を緩和させるなどの効果があり、赤色は、心拍数を上げ新陳代謝を促進する効果や心身をあたためるなどの効果がある。
【０００３】
このような人体に及ぼす色彩の作用を利用して、患部の痛みの緩和などを行う健康器具が公開されている（例えば、特許文献１参照。）。
【０００４】
【特許文献１】
特願平１１−２６７１７９号公報
【０００５】
【発明が解決しようとする課題】
本発明では、上記したような人体に及ぼす色彩の作用を利用して、頭頚部などの表皮にあるツボに対して、発光ダイオードランプによる複数の色の光を選択的に顔の表皮に照射することによって、トリートメントを行うことができる美顔用光マスクを提供すること目的とする。
【０００６】
【課題を解決するための手段】
上記目的を達成するために、本発明の美顔用光マスクは、顔面に装着されるマスク本体と、前記マスク本体の外面に所定のパターンで配設され、前記マスク本体を介して前記顔面に向けて異なる色相の光を出射する複数の光源部と、前記各光源部に電力を供給する電源と、前記電源から供給される電力を前記各光源部毎または前記複数の光源部からなるグループ毎に制御する光源制御部とを具備することを特徴とする。
【０００７】
この美顔用光マスクのマスク本体は、全体が透明または半透明、または、マスク本体の光源部が配設された部分のみが透明または半透明であることを特徴とする。
【０００８】
この美顔用光マスクによれば、人体に及ぼす色彩の作用を利用して、顔面に発光ダイオードランプなどによる複数の色の光を選択的に顔の表皮に照射することによって、顔面のトリートメントを行うことができる。
【０００９】
また、本発明の美顔用光マスクは、顔面に装着され、所定の位置に複数の開口部が設けられたマスク本体と、前記各開口部に嵌設され、前記顔面に向けて異なる色相の光を出射する複数の光源部と、前記各光源部に電力を供給する電源と、前記電源から供給される電力を前記各光源部毎または前記複数の光源部からなるグループ毎に制御する光源制御部とを具備することを特徴とする。ここで、光源部の光出射面には、透明または半透明の部材が装着されてもよい。
【００１０】
この美顔用光マスクによれば、人体に及ぼす色彩の作用を利用して、顔面に発光ダイオードランプなどによる複数の色の光を選択的に顔の表皮に照射することによって、顔面のトリートメントを行うことができる。
【００１１】
また、本発明の美顔用光マスクは、前記マスク本体が、接触部材を介して顔面に装着されることを特徴とする。
【００１２】
この美顔用光マスクによれば、マスク本体と顔面との間に接触部材を備えることで、各光源部と顔面との間の距離が増加する。これによって、接触部材が備えられない場合と比べて、光源部から出射された可視光を顔面の広範囲に照射することができ、光源部の数を減少させることができる。
【００１３】
また、本発明の美顔用光マスクは、前記美顔用光マスクが、前記マスク本体に一端が接続され、他端に面ファスナを備える固定用ベルトをさらに具備することを特徴とする。
【００１４】
さらに、本発明の美顔用光マスクは、前記光源部が、赤色、橙色、黄色、緑色、青色、紫色および白色の少なくとも一色を出射する光源を具備することを特徴とする。
【００１５】
この美顔用光マスクによれば、光源部が、赤色、橙色、黄色、緑色、青色、紫色および白色の少なくとも一色を出射する光源を具備し、各色が顔面に照射されることで、各色も持つトリートメント効果を得ることができる。
【００１６】
また、本発明の美顔用光マスクは、前記美顔用光マスクの前記複数の光源部から顔面に出射される可視光が、所定の色彩パターンを有して出射されることを特徴とする。
【００１７】
この美顔用光マスクによれば、所定の色彩パターンを有した光が顔面に照射されることで、顔面の各部分に最適な色相の光を照射することができ、顔面全体に渡って最適なトリートメントを行うことができる。
【００１８】
また、本発明の美顔用光マスクは、前記マスク本体の内面の所定の位置に、顔面の表皮のツボを押圧する突起部をさらに具備することを特徴とする。さらに、前記マスク本体の内面の所定の位置に、前記頭頚部の表皮に振動を与える振動発生器をさらに具備することを特徴とする。
【００１９】
この美顔用光マスクによれば、動的な刺激が顔面に付与され、可視光を照射することで得られるトリートメントの効果に加えて、マッサージ効果を得ることができる。
【００２０】
また、マスク本体は、顔面以外に、頚部にも装着されるよう構成されてもよい。これによって、顔面のトリートメントに加えて、しわやたるみなどが生じやすい頚部のトリートメントを行うことができる。
【００２１】
【発明の実施の形態】
以下、本発明の一実施の形態について図を参照して説明する。
【００２２】
図１には、本発明の一実施の形態に係る美顔用光マスク１０の頭頚部の表皮接触面側からの平面図、図２には、図１に示した美顔用光マスク１０のＡ−Ａ断面図を示す。また、図３は、美顔用光マスク１０を頭頚部に装着したときの外観を示す図である。ここで、頭頚部とは、顔面および頚部を意味する。
【００２３】
美顔用光マスク１０は、美顔用光マスク本体１１と、この美顔用光マスク本体１１の外側面に配設された光源部Ｐ１、Ｐ２…と、各光源部Ｐ１、Ｐ２…と電気的に接続された光源制御部１２と、光源制御部１２と制御信号を交信するリモートコントローラ１３と、美顔用光マスク本体１１に一端が接続された固定用ベルト１４で主に構成されている。
【００２４】
美顔用光マスク本体１１は、透明または半透明な樹脂で形成され、例えば、アクリル樹脂、ポリエチレンなどが用いられる。また、美顔用光マスク本体１１には、頭頚部の眼窩部および口部に対応する部分に開口部が形成されている。なお、美顔用光マスク本体１１は、透明または半透明で、ヤング率の比較的小さい柔軟な樹脂で形成されてもよい。また、美顔用光マスク本体１１は、頭頚部の表皮を覆うように構成されるものに限らず、顔面部の表皮のみを覆う構成、頚部の表皮のみを覆う構成でもよい。
【００２５】
また、美顔用光マスク本体１１は、光源部Ｐ１、Ｐ２…が配設される部分のみが、透明または半透明な樹脂で形成されてもよい。そして、それ以外の部分を、例えば、光を透過しない材料で構成されてもよい。これによって、頭頚部の表皮に照射された光の反射光の外部への放出を抑制することができる。
【００２６】
光源部Ｐ１、Ｐ２…は、赤色、橙色、黄色、緑色、青色、紫色および白色の光をそれぞれ発生する７種の発光ダイオードランプのいずれか少なくとも１つが選択的に設置された光源Ｐ１ａ、Ｐ１ｂ、Ｐ１ｃ、Ｐ１ｄ、Ｐ２ａ、Ｐ２ｂ、Ｐ２ｃ、Ｐ２ｄ…を備えている。光源部Ｐ１、Ｐ２…に備えられる光源の数は、必要に応じて適宜に決めることができ、図１に示した美顔用光マスク１０の光源部Ｐ１、Ｐ２…には、３つまたは４つの光源が備えられている。
【００２７】
なお、光源部Ｐ１、Ｐ２…に備えられる光源の数は、これに限られるものではなく、５つ以上の光源を備えてもよく、光源の配置構成も適宜に決めることができる。また、光源Ｐ１ａ、Ｐ１ｂ、Ｐ１ｃ、Ｐ１ｄ、Ｐ２ａ、Ｐ２ｂ、Ｐ２ｃ、Ｐ２ｄ…は、異なる色を発光する複数の発光ダイオードランプを光源部Ｐ１、Ｐ２…の表面に分散させて構成されてもよい。また、光の三原色である赤色、緑色、青色の発光ダイオードランプを各光源に備え、それらの色を混色することで、他の色を構成してもよい。さらに、光源Ｐ１ａ、Ｐ１ｂ、Ｐ１ｃ、Ｐ１ｄ、Ｐ２ａ、Ｐ２ｂ、Ｐ２ｃ、Ｐ２ｄ…として、１つの発光ダイオードランプで複数の色を発光することができる発光ダイオードランプを用いてもよい。
【００２８】
また、光源部Ｐ１、Ｐ２…は、美顔用光マスク１０の頭頚部の表皮に接触する内側面に対向する外側面に、頭頚部の表皮の各ツボに対応するよう配設されている。ここで、光源部Ｐ１、Ｐ２…は、例えば、美顔用光マスク１０の外側面に着脱可能に取り付けられてもよい。各光源部Ｐ１、Ｐ２…の光源Ｐ１ａ、Ｐ１ｂ、Ｐ１ｃ、Ｐ１ｄ、Ｐ２ａ、Ｐ２ｂ、Ｐ２ｃ、Ｐ２ｄ…を構成する発光ダイオードランプは、光源制御部１２と電気的に接続されている。
【００２９】
また、光源部Ｐ１、Ｐ２…は、頭頚部の表皮の各ツボに対応するよう美顔用光マスク本体１１に複数の開口部を設け、それらの開口部に嵌設されてもよい。この場合、光源部Ｐ１、Ｐ２…の光出射面には、透明または半透明の部材が装着されてもよい。
【００３０】
光源制御部１３は、電気的に接続されたリモートコントローラ１３からの制御信号に基づいて、光源部Ｐ１、Ｐ２…の発光ダイオードランプを制御するもので、各光源部Ｐ１、Ｐ２…の各発光ダイオードランプと電気的に接続されている。
【００３１】
また、光源制御部１２は、図４に示すように、入力部１２ａ、演算部１２ｂ、記憶部１２ｃ、出力部１２ｄを有している。ここで、入力部１２ａには、リモートコントローラ１３からの制御信号などが入力される。記憶部１２ｃには、例えば、各トリートメントモードに対応したプログラムやデータなどが格納される。演算部１２ｂは、記憶部１２ｃに格納されたプログラムやデータなどを用いて各種の演算処理を行う。出力部１２ｄでは、演算部１２ｂや記憶部１２ｃの情報に基づいて、光源部Ｐ１、Ｐ２…やリモートコントローラ１３などに制御信号を出力する。
【００３２】
なお、光源制御部１２とリモートコントローラ１３との間の情報の交信は、配線を介して電気的に行うものに限らず、電波などを介して無線で行うこともできる。光源制御部１３は、美顔用光マスク１０を頭頚部に取り付ける際、取り付けの妨げにならない、例えば、固定用ベルト１４の所定の位置などに取り付けられる。また、光源制御部１２は、リモートコントローラ１３に組み込まれて設置されてもよい。
【００３３】
リモートコントローラ１３には、主電源１３ａ、表示部１３ｂ、機能選択ボタン１３ｃ、確定ボタン１３ｄ、選択ボタン１３ｅなどが備えられている。主電源１３ａは、電源をオン／オフするもので、機能選択ボタン１３ｃは、設定する機能項目を選択するもので、選択される機能には、例えば、トリートメントモード機能、タイマ設定機能、マニュアル機能などがある。
【００３４】
選択ボタン１３ｅは、機能選択ボタン１３ｃで選択された機能項目内のさらに詳細な機能を選択または設定するもので、例えば、機能選択ボタン１３ｃでトリートメントモード機能が選択された場合には、予め設定された各種トリートメントモードから選択ボタン１３ｅを押すことによって、好みのトリートメントモードを選択することができる。また、機能選択ボタン１３ｃで、例えば、タイマ設定機能が選択された場合には、選択ボタン１３ｅを押して、表示部１３ｂに表示される設定時間の数値を見ながらトリートメントの時間を設定することができる。さらに、機能選択ボタン１３ｃで、例えば、マニュアル機能が選択された場合には、可視光を出射する光源部Ｐ１、Ｐ２…の設定、発光ダイオードランプから出射される可視光の出射強度の設定などを、選択ボタン１３ｅを押すことで任意に選択することができる。確定ボタン１３ｄは、機能選択ボタン１３ｃおよび選択ボタン１３ｅで選択または設定されたトリートメントモードを確定するためのものである。
【００３５】
固定用ベルト１４は、帯形状を有し、布、樹脂、ゴムなどで形成されている。図１に示すように、２本の固定用ベルト１４のそれぞれの一端が、美顔用光マスク本体１１の左端の縁部に接続されている。また、２本の固定用ベルト１４の間には、一端が美顔用光マスク本体１１の左端の縁部に接続され、他端が２本の固定用ベルト１４の一方に接続された補助用固定用ベルト１４ａが備えられている。さらに、２本の固定用ベルト１４のそれぞれの他端には、面ファスナが設けられている。一方、美顔用光マスク本体１１の右端の縁部にも、美顔用光マスク本体１１の左端の縁部と同様に、２本の固定用ベルト１４および補助用固定用ベルト１４ａが接続されており、２本の固定用ベルト１４のそれぞれの他端には、面ファスナが設けられている。
【００３６】
美顔用光マスク本体１１を頭頚部に装着する際、左端の縁部に接続された固定用ベルト１４の他端部に設けられた面ファスナと、右端の縁部に接続された固定用ベルト１４の他端部に設けられた面ファスナとを接続することで、美顔用光マスク本体１１は頭頚部に装着される。
【００３７】
ここで、図１に示すように、美顔用光マスク１０の美顔用光マスク本体１１には、さらに、振動発生器１６、ツボ押圧用突起部１７を備えることもできる。
【００３８】
振動発生器１６は、美顔用光マスク本体１１の頭頚部の表皮と接触する面の光源部Ｐ１と光源部Ｐ２との間に対応する位置に配設され、光源制御部１２と電気的に接続されている。振動発生器１６は、それ自身が振動し、頭頚部の表皮に振動を与え、トリートメントを行うものである。振動発生器１６を設けた場合には、リモートコントローラ１３の機能選択ボタン１３ｃによって選択される機能として、さらに、振動モード機能が付加される。振動モード機能には、例えば、振動のオン・オフ、振動の強弱などを設定するモードなどが予め設定されている。
【００３９】
ツボ押圧用突起部１７は、ゴム、樹脂などで形成された突起物で、美顔用光マスク本体１１の頭頚部の表皮と接触する面に配設される。図１に示された美顔用光マスク１０では、ツボ押圧用突起部１７は、眼窩部に対応させて開口された開口部の上部側に開口部に沿って配設されている。なお、ツボ押圧用突起部１７の配設される位置は、この部分に限られるものではなく、他の頭頚部におけるツボの位置に対応させて任意に配設される。ツボ押圧用突起部１７は、例えば、美顔用光マスク本体１１の頭頚部の表皮と接触する面に、着脱可能に取り付けられてもよく、または、美顔用光マスク本体１１に一体的に形成されてもよい。
【００４０】
（美顔用光マスク１０の作用）
美顔用光マスク１０において、各光源部Ｐ１、Ｐ２…の光源Ｐ１ａ、Ｐ１ｂ、Ｐ１ｃ、Ｐ１ｄ、Ｐ２ａ、Ｐ２ｂ、Ｐ２ｃ、Ｐ２ｄ…から出射された可視光は、透明または半透明の美顔用光マスク本体１１を通過し、頭頚部の表皮に照射される。以下に、図４および５を参照して、この頭頚部の表皮に可視光を照射する作用の一例を説明する。ここで、図５には、美顔用光マスク１０における制御に関する流れ図が示されている。
【００４１】
主電源１３ａがオンされ、リモートコントローラ１３によって、トリートメントモードが設定されると、光源制御部１２の入力部１２ａにその設定された情報が入力される（ステップＳ３０）。入力部１２ａは、その入力された情報を演算部１２ｂに出力する（ステップＳ３０）。
【００４２】
演算部１２ｂでは、入力部１２ａから出力された情報に基づいて、振動モードがオンされた否かを判定する（ステップＳ３１）。
【００４３】
振動モードがオンされたことが演算部１２ｂによって判定されると（ステップＳ３１のＹｅｓ）、演算部１２ｂは、要求された振動モードの情報に対応するプログラムを記憶部１２ｃから読み出し、そのプログラムを実行する（ステップＳ３２）。そして、実行したプログラムに対応して振動発生器１６を制御するための制御信号を出力部１２ｄに出力する（ステップＳ３２）。出力部１２ｄは、その制御信号を振動装置１６に出力し、振動発生器１６を作動させる（ステップＳ３２）。
【００４４】
振動モードがオンされていないことが演算部１２ｂによって判定されると（ステップＳ３１のＮｏ）、演算部１２ｂは、要求されたトリートメントモードの情報に対応するプログラムを記憶部１２ｃから読み出し、そのプログラムを実行する（ステップＳ３３）。そして、実行したプログラムに対応して各光源部Ｐ１、Ｐ２…を制御するための制御信号を出力部１２ｄに出力する（ステップＳ３３）。出力部１２ｄは、その制御信号を対応する光源部Ｐ１、Ｐ２…に出力し、光源部Ｐ１、Ｐ２…の光源Ｐ１ａ、Ｐ１ｂ、Ｐ１ｃ、Ｐ１ｄ、Ｐ２ａ、Ｐ２ｂ、Ｐ２ｃ、Ｐ２ｄ…から可視光を出射させる（ステップＳ３３）。
【００４５】
さらに、演算部１２ｂでは、入力部１２ａから出力された情報に基づいて、トリートメント設定時間に達したか否かを判定する（ステップＳ３４）。
【００４６】
トリートメント設定時間に達していないことが演算部１２ｂによって判定されると（ステップＳ３４のＮｏ）、演算部１２ｂは、トリートメント設定時間に達したか否かの判定を繰り返し行う。
【００４７】
トリートメント設定時間に達したことが演算部１２ｂによって判定されると（ステップＳ３４のＹｅｓ）、演算部１２ｂは、トリートメントを終了するための制御信号を出力部１２ｄに出力する。出力部１２ｄは、その制御信号を光源部Ｐ１、Ｐ２…に出力し、光源部Ｐ１、Ｐ２…の光源Ｐ１ａ、Ｐ１ｂ、Ｐ１ｃ、Ｐ１ｄ、Ｐ２ａ、Ｐ２ｂ、Ｐ２ｃ、Ｐ２ｄ…からの可視光の出射を停止させる。なお、振動モードがオンされたことが演算部１２ｂによって判定された場合には、演算部１２ｂは、振動発生器１６の動作を停止させるための制御信号を出力部１２ｄに出力し、出力部１２ｄは、その制御信号を振動装置１６に出力し、振動発生器１６の動作を停止させる。
【００４８】
ここでは、振動発生器１６を備えた美顔用光マスク１０における作用を示したが、振動発生器１６を備えない美顔用光マスク１０では、ステップＳ３１およびステップＳ３２の工程は削除される。
【００４９】
次に、美顔用光マスク１０の頭頚部の表皮と接触する内側面に、接触部材４０を取り付けた実施の形態を図６に示す。また、図７には、接触部材４０が取り付けられた美顔用光マスク１０が装着されたときの美顔用光マスク１０のＡ−Ａ断面図を示す。
【００５０】
接触部材４０は、例えば、スポンジなどの柔軟な部材で形成され、図６に示すように、美顔用光マスク本体１１の内側面の外縁部に配設されている。
【００５１】
美顔用光マスク本体１１と頭頚部の表皮との間に接触部材４０を備えることで、各光源部Ｐ１、Ｐ２…の光源Ｐ１ａ、Ｐ１ｂ、Ｐ１ｃ、Ｐ１ｄ、Ｐ２ａ、Ｐ２ｂ、Ｐ２ｃ、Ｐ２ｄ…と頭頚部の表皮との間の距離が増加する。これによって、接触部材４０が備えられない場合と比べて、光源Ｐ１ａ、Ｐ１ｂ、Ｐ１ｃ、Ｐ１ｄ、Ｐ２ａ、Ｐ２ｂ、Ｐ２ｃ、Ｐ２ｄ…から出射された可視光を頭頚部の表皮の広範囲に照射することができ、光源の数を減少させることができる。
【００５２】
（トリートメントモード例）
次に、図１を参照してトリートメントモードについて説明する。ここで、予め設定されたトリートメントモードは、（１）顔痩せモード、（２）美白モード、（３）脂性によるニキビ解消モード、（４）老化防止モード、（５）赤ら顔改善モード、（６）乾燥肌防止モード、（７）過敏肌改善モード、（８）便秘によるニキビ解消モードである。なお、ここでは、上記モードが予め設定されているが、これらのモードに限られるものではなく、他のモードも設定することができる。
【００５３】
図１には、上記トリートメントモードに対応して可視光を頭頚部の表皮へ照射する各光源部Ｐ１、Ｐ２…配置構成が示されている。光源部Ｐ１、Ｐ２は前頭部に対応する位置に、光源部Ｐ３、Ｐ４は前頭部から頬骨部にかけての顔の輪郭に沿った部分に対応する位置に、光源部Ｐ５、Ｐ７は眼窩部の下部から頬骨部に対応する位置に、光源部Ｐ６は鼻部に対応する位置に配設されている。また、光源部Ｐ８、Ｐ１０は頬部に対応する位置に、光源部Ｐ９はオトガイ部に対応する位置に、光源部Ｐ１２は頚部の輪状軟骨付近に対応する位置に、光源部Ｐ１１、Ｐ１３は頚部の光源部Ｐ１２に隣り合う位置に配設されている。
【００５４】
なお、光源部Ｐ１、Ｐ２…は、美顔用光マスク本体１１の頭部から頚部に向かう中心線に対して線対称に構成されているので、図１に示された光源部Ｐ１、Ｐ２…の内、線対称に対して一方の側（図１の美顔用光マスク本体１１の左側）について、各光源部Ｐ１、Ｐ３、Ｐ５…における光源Ｐ１ａ、Ｐ１ｂ、Ｐ１ｃ、Ｐ１ｄ、Ｐ３ａ、Ｐ３ｂ、Ｐ３ｃ…の配置構成の一例を説明する。
【００５５】
光源部Ｐ１は、４つの光源Ｐ１ａ、Ｐ１ｂ、Ｐ１ｃ、Ｐ１ｄで構成され、各光源Ｐ１ａ、Ｐ１ｂ、Ｐ１ｃ、Ｐ１ｄには、赤色の発光ダイオードランプおよび橙色の発光ダイオードランプが設置されている。
【００５６】
光源部Ｐ３は、３つの光源Ｐ３ａ、Ｐ３ｂ、Ｐ３ｃで構成され、各光源Ｐ３ａ、Ｐ３ｂ、Ｐ３ｃには、赤色の発光ダイオードランプおよび紫色の発光ダイオードランプが設置されている。
【００５７】
光源部Ｐ５は、４つの光源Ｐ５ａ、Ｐ５ｂ、Ｐ５ｃ、Ｐ５ｄで構成されている。光源Ｐ５ａには、赤色の発光ダイオードランプおよび橙色の発光ダイオードランプが、光源Ｐ５ｂには、赤色の発光ダイオードランプおよび黄色の発光ダイオードランプが設置されている。また、光源Ｐ５ｃには、赤色の発光ダイオードランプおよび橙色の発光ダイオードランプが、光源Ｐ５ｄには、赤色の発光ダイオードランプ、黄色の発光ダイオードランプおよび青色の発光ダイオードランプが設置されている。
【００５８】
光源部Ｐ６は、４つの光源Ｐ６ａ、Ｐ６ｂ、Ｐ６ｃ、Ｐ６ｄで構成されるが、光源Ｐ６ａと光源Ｐ６ｂ、光源Ｐ６ｃと光源Ｐ６ｄに設置される発光ダイオードランプの配置構成は同一なので、光源Ｐ６ａおよび光源Ｐ６ｃの配置構成について示す。光源Ｐ６ａには、赤色の発光ダイオードランプおよび黄色の発光ダイオードランプが、光源Ｐ６ｃには、黄色の発光ダイオードランプおよび青色の発光ダイオードランプが設置されている。
【００５９】
光源部Ｐ８は、４つの光源Ｐ８ａ、Ｐ８ｂ、Ｐ８ｃ、Ｐ８ｄで構成されている。光源Ｐ８ａには、赤色の発光ダイオードランプおよび橙色の発光ダイオードランプが、光源Ｐ８ｂには、赤色の発光ダイオードランプ、橙色の発光ダイオードランプ、黄色の発光ダイオードランプおよび青色の発光ダイオードランプが設置されている。また、光源Ｐ８ｃには、赤色の発光ダイオードランプ、橙色の発光ダイオードランプおよび青色の発光ダイオードランプが、光源Ｐ８ｄには、赤色の発光ダイオードランプ、橙色の発光ダイオードランプ、黄色の発光ダイオードランプおよび青色の発光ダイオードランプが設置されている。
【００６０】
光源部Ｐ９は、４つの光源Ｐ９ａ、Ｐ９ｂ、Ｐ９ｃ、Ｐ９ｄで構成されるが、光源Ｐ９ａと光源Ｐ９ｂ、光源Ｐ９ｃと光源Ｐ９ｄに設置される発光ダイオードランプの配置構成は同一なので、光源Ｐ９ａおよび光源Ｐ９ｃの配置構成について示す。光源Ｐ９ａには、赤色の発光ダイオードランプおよび黄色の発光ダイオードランプが、光源Ｐ９ｃには、黄色の発光ダイオードランプおよび青色の発光ダイオードランプが設置されている。
【００６１】
光源部Ｐ１１は、４つの光源Ｐ１１ａ、Ｐ１１ｂ、Ｐ１１ｃ、Ｐ１１ｄで構成されている。光源Ｐ１１ａには、黄色の発光ダイオードランプおよび青色の発光ダイオードランプが、光源Ｐ１１ｂには、黄色の発光ダイオードランプおよび青色の発光ダイオードランプが設置されている。また、光源Ｐ１１ｃには、黄色の発光ダイオードランプおよび青色の発光ダイオードランプが、光源Ｐ１１ｄには、橙色の発光ダイオードランプ、黄色の発光ダイオードランプおよび青色の発光ダイオードランプが設置されている。
【００６２】
光源部Ｐ１２は、４つの光源Ｐ１２ａ、Ｐ１２ｂ、Ｐ１２ｃ、Ｐ１２ｄで構成されるが、光源Ｐ１２ａと光源Ｐ１２ｂ、光源Ｐ１２ｃと光源Ｐ１２ｄに設置される発光ダイオードランプの配置構成は同一なので、光源Ｐ１２ａおよび光源Ｐ１２ｃの配置構成について示す。光源Ｐ１２ａには、赤色の発光ダイオードランプ、黄色の発光ダイオードランプおよび青色の発光ダイオードランプが、光源Ｐ１２ｃには、赤色の発光ダイオードランプ、橙色の発光ダイオードランプ、黄色の発光ダイオードランプおよび青色の発光ダイオードランプが設置されている。
【００６３】
なお、各光源部Ｐ１、Ｐ２…には、各色相の波長を有する白色の発光ダイオードランプを併設させてもよい。さらに、各光源部Ｐ１、Ｐ２…には、ストレスや精神疲労に効果的な緑色の発光ダイオードランプを併設させてもよい。
【００６４】
（照射パターン）
次に、図１、図８および図９を参照して、上記した各光源部Ｐ１、Ｐ２…の光源Ｐ１ａ、Ｐ１ｂ、Ｐ１ｃ、Ｐ１ｄ、Ｐ２ａ、Ｐ２ｂ、Ｐ２ｃ、Ｐ２ｄ…から出射された可視光によって形成される（１）〜（８）の各モードの照射パターンについて説明する。
【００６５】
図８には、可視光が照射される頭頚部の表皮上の区分された領域５０、５１、５２、…、６４が示されている。
【００６６】
領域５０は、左右の眼窩部間から前頭部にかけた部分、領域５１は、前頭部のほぼ全体の部分、領域５２は、前頭部から頬骨部にかけた顔の輪郭に沿った部分である。また、領域５３は、眼窩部の下方で眼窩部に沿った部分、領域５４は、眼窩下部の部分、領域５５は、鼻部に沿った鼻孔の脇の部分、領域５６は、鼻部の部分、領域５７は、頬部の部分である。また、領域５８は、頬部にかけた顔の輪郭に沿った部分、領域５９は、頬部と口部との間の凹部の部分、領域６０は、鼻部と口部との間の口部に沿った部分、領域６１は、口部の下部で口部に沿った部分である。領域６２は、オトガイ部の部分、領域６３は、頚部の輪状軟骨付近の部分、領域６４は、頚部の領域６３に隣接する部分である。
【００６７】
図９には、可視光が照射される頭頚部の表皮上の区分されたツボの領域７０、７１、７２、…、７８が示されている。
【００６８】
領域７０は上星、領域７１は糸竹空、領域７２は攅竹、領域７３は三焦経上、領域７４は迎香、領域７５は禾りょう、領域７６は地倉、領域７７は大腸経上の下顎点、領域７８は星状神経節である。
【００６９】
（１）顔痩せモード
顔痩せモードでは、領域５０に橙色、領域５２に紫色、領域５４、５５、６０、６１に黄色、領域５８、６２、６４に青色の光が照射される。
【００７０】
領域５０に橙色の光を照射することによって、むくみを抑制し、排泄を促すことができる。領域５２に紫色の光を照射することによって、肌に弾力を与えることができる。領域５４、５５、６０、６１に黄色の光を照射することによって、胃の働きを整え、食べ過ぎを防ぐことができる。領域５８、６２、６４に青色の光を照射することによって、静脈を流れる血液やリンパ管を流れるリンパ液の循環を促進することができる。
【００７１】
（２）美白モード
美白モードでは、領域５０、６３に橙色、領域５４、６１に黄色、領域５５、５９、６４に青色の光が照射される。
【００７２】
領域５０に橙色の光を照射することによって、体を活性化し、出産や婦人科系のトラブルなどによって形成されたシミなどを改善することができる。また、領域６３に橙色の光を照射することによって、痩せ型の人に形成されるシミなどを改善することができる。領域５４、６１に黄色の光を照射することによって、肥満型の人に形成されるシミなどを改善することができ、さらに、各臓器の活性化を図ることができる。領域５５、５９、６４に青色の光を照射することによって、皮膚機能が改善され、顔色、くすみの改善をすることができる。
【００７３】
（３）脂性によるニキビ解消モード
脂性によるニキビ解消モードでは、領域５１、５６に橙色、領域５３に赤色、領域５４、５５、５９、６０、６１、６２、６３、６４に黄色の光が照射される。
【００７４】
領域５１、５６に橙色の光を照射することによって、皮脂腺が多くて皮脂詰りになりやすい場所を深部から温めることにより汚れを排出しやすくすることができる。また、領域５１に橙色の光を照射することによって、生理前のニキビを予防することができる。領域５３に赤色の光を照射することによって、ブツブツが出やすい肌を改善することができる。領域５４、５５、５９、６０、６１、６２、６３、６４に黄色の光を照射することによって、ニキビを解消、予防することができる。
【００７５】
（４）老化防止モード
老化防止モードでは、領域５１、５２、５３、６０、６１に赤色、領域５７、５８に橙色、領域６３、６４に青色の光が照射される。
【００７６】
領域５１、５２、５３、６０、６１に赤色の光を照射することによって、照射部が穏やかに刺激され、血液循環を促進することができる。これによって、照射部のしわ、たるみを防止することができる。また、領域５３に赤色の光を照射することによって、小腸経を刺激し、肌へ栄養を行き渡らせることができる。領域５７、５８に橙色の光を照射することによって、筋肉を活性化し、たるみなどを防止することができる。領域６３、６４に青色の光を照射することによって、静脈を流れる血液やリンパ管を流れるリンパ液の循環を促進し、しわ、たるみを防止することができる。
【００７７】
（５）赤ら顔改善モード
赤ら顔改善モードでは、領域５０に橙色、領域５３、５７、５８、５９に赤色、領域５４、５５、６０、６１に黄色の光が照射される。
【００７８】
領域５０に橙色の光を照射することによって、照射部が活性化され、赤ら顔を抑制することができる。領域５３、５７、５８、５９に赤色の光を照射することによって、照射部が活性化されるとともに、小腸経が刺激され、肌へ栄養を行き渡らせることができる。領域５４、５５、６０、６１に黄色の光を照射することによって、肌を強化することができる。
【００７９】
（６）乾燥肌防止モード
乾燥肌防止モードでは、領域５１、５３に赤色、領域５２に紫色、領域５４、５５、５６、５９、６０、６１、６２に黄色、領域５７、５８に橙色、領域６４に青色の光が照射される。
【００８０】
領域５１、５３に赤色の光を照射することによって、照射部が活性化され、肌のかさつきを抑えることができる。領域５２に紫色の光を照射することによって、肌に弾力を与えることができる。領域５４、５５、５６、５９、６０、６１、６２に黄色の光を照射することによって、各臓器の働きを活性化し、水分バランスを改善することができる。領域５７、５８に橙色の光を照射することによって、照射部が活性化され、肌のかさつきを抑えることができる。領域６４に青色の光を照射することによって、静脈を流れる血液やリンパ管を流れるリンパ液の循環を促進することができる。
【００８１】
（７）過敏肌改善モード
過敏肌改善モードでは、領域７０、７２、７８に橙色、領域７４、７６に黄色の光が照射される。
【００８２】
領域７０、７２に橙色の光を照射することによって、過敏肌の肌質を改善することができる。また、領域７８に橙色の光を照射することによって、色白の人における過敏肌の肌質を改善することができる。領域７４、７６に黄色の光を照射することによって、各臓器の機能強化や神経組織の正常化を図ることができる。
【００８３】
（８）便秘によるニキビ解消モード
便秘によるニキビ解消モードでは、領域７１、７３に紫色、領域７４、７５、７７に青色の光が照射される。
【００８４】
領域７１、７３に紫色の光を照射することによって、リンパ管を流れるリンパ液の流れを促進し、体内の老廃物や毒素を除去することで、ニキビを解消、予防することができる。領域７４、７５、７７に青色の光を照射することによって、便秘を改善し、ニキビを解消、予防することができる。
【００８５】
上記したように、本発明の美顔用光マスクによれば、透明または半透明の美顔用光マスク本体を介して光源部から所定の色の光を所定の頭頚部の表皮に照射して、表皮のトリートメントを行うことができる。また、美顔用光マスクは、頭頚部の表皮のほぼ全体を覆うことができるので、一括して頭頚部の表皮のほぼ全体を自動的にトリートメントすることができる。
【００８６】
また、美顔用光マスクの１つの光源部には、異なる色を照射する複数の光源を備えることができるので、種々のトリートメントモードを設定することができる。さらに、光源部は、美顔用光マスク本体と着脱可能に取り付けることができるため、所定の色の光源を有する光源部を任意に移動することもできる。
【００８７】
また、美顔用光マスクに振動発生器、ツボ押圧用突起部を備えることで、動的な刺激が頭頚部の表皮に付与され、可視光を照射することで得られるトリートメントの効果に加えて、マッサージ効果を得ることができる。
【００８８】
【発明の効果】
本発明の美顔用光マスクによれば、人体に及ぼす色彩の作用を利用して、頭頚部などの表皮にあるツボに対して、発光ダイオードランプによる複数の色の光を選択的に顔の表皮に照射することによって、トリートメントを行うことができる。
【図面の簡単な説明】
【図１】本発明の一実施の形態に係る美顔用光マスクの頭頚部の表皮接触面側からの平面図。
【図２】図１に示された美顔用光マスクのＡ−Ａ断面図。
【図３】美顔用光マスクを頭頚部に装着したとき外観を示す図。
【図４】光源制御部の構成を示す図。
【図５】美顔用光マスクにおける制御に関する流れ図。
【図６】美顔用光マスクの他の実施の形態を示す平面図。
【図７】図６に示された美顔用光マスクを頭頚部に装着した状態を示す美顔用光マスクの断面図。
【図８】可視光が照射される頭頚部の表皮上の領域の区分を示す図。
【図９】可視光が照射される頭頚部の表皮上のツボの領域の区分を示す図。
【符号の説明】
１０…美顔用光マスク
１１…美顔用光マスク本体
１２…光源制御部
１３…リモートコントローラ
１４…固定用ベルト
Ｐ１、Ｐ２…、Ｐ１３…光源部
【図１】
2005027702.tif 000003
【図２】
2005027702.tif 000004
【図３】
2005027702.tif 000005
【図４】
2005027702.tif 000006
【図５】
2005027702.tif 000007
【図６】
2005027702.tif 000008
【図７】
2005027702.tif 000009
【図８】
2005027702.tif 000010
【図９】
2005027702.tif 000011